(57)【要約】  本発明は、ユーザーが入力した指令を受け、プリセットした一連のプログラムを前記指令に従って実行する、ユーザー指令の実行方法、実行装置、プログラム及び記憶媒体に関する。ユーザーは移動端末を使用する時、画面のロックを解除する必要はなく、直接にボタンを押すことで、プリセットした一連のプログラムを実行することができ、操作しやすくて精度が高く、操作の効率を上げた。【選択図】図１
2016527577.tif 000002
【特許請求の範囲】
【請求項１】
ユーザーの入力した指令を受けることと、
プリセットされた一連のプログラムを前記指令に従って実行することと
を含む、ユーザー指令の実行方法。
【請求項２】
ユーザーからプリセットされた一連のプログラムの情報を受けること
をさらに含む、請求項１に記載のユーザー指令の実行方法。
【請求項３】
前記ユーザーの入力した指令を受けることは、ユーザーが入力した、連続クッリクの回数が２回を超えた連続クッリク指令を受けること
を含む、請求項１に記載のユーザー指令の実行方法。
【請求項４】
前記指令に従ってプリセットされた一連のプログラムを実行することは、プリセットされた一連のプログラムを前記連続クッリクの回数によって実行すること
を含む、請求項３に記載のユーザー指令の実行方法。
【請求項５】
前記指令に従ってプリセットされた一連のプログラムを実行することは、
現在の端末の状態を取得することと、
プリセットされた一連のプログラムを現在の端末の状態と前記指令とに従って実行することと
を含む、請求項１に記載のユーザー指令の実行方法。
【請求項６】
前記プリセットされた一連のプログラムを前記指令に従って実行することは、
プリセットされた少なくとも一つのプログラムを前記指令に従って所定の順序で実行すること
を含む、請求項１に記載のユーザー指令の実行方法。
【請求項７】
前記ユーザーの入力した指令を受けることは、ユーザーが入力した長押し指令を受けることを含み、
前記プリセットされた一連のプログラムを前記指令に従って実行することは、前記長押し指令に従って前記一連のプログラムの実行を終止する、および／または前記一連のプログラムを退出すること
を含む、請求項１に記載のユーザー指令の実行方法。
【請求項８】
ユーザーの入力した指令を受ける受け取りユニットと、
プリセットされた一連のプログラムを前記指令に従って実行する実行ユニットと
を含む、ユーザー指令の実行装置。
【請求項９】
ユーザーからプリセットされた一連のプログラムの情報を受ける、一連のプログラム設定ユニット
をさらに含む、請求項８に記載のユーザー指令の実行装置。
【請求項１０】
前記受け取りユニットは、ユーザーが入力した、連続クリックの回数が２回を超えた連続クッリク指令を受けるためである、
請求項８に記載のユーザー指令の実行装置。
【請求項１１】
前記実行ユニットは、プリセットされた一連のプログラムを前記連続クリックの回数によって実行するためである、
請求項１０に記載のユーザー指令の実行装置。
【請求項１２】
現在の端末の状態を取得する状態取得ユニットと、
プリセットされた一連のプログラムを現在の端末の状態と前記指令とに従って実行する実行ユニットと
を含む、請求項８に記載のユーザー指令の実行装置。
【請求項１３】
前記実行ユニットは、プリセットされた少なくとも一つのプログラムを前記指令に従って所定の順序で実行するためである、
請求項８に記載のユーザー指令の実行装置。
【請求項１４】
前記受け取りユニットは、ユーザーが入力した長押し指令を受けるためであり、
前記実行ユニットは、前記長押し指令に従って前記一連のプログラムの実行を終止する、および／または前記一連のプログラムを退出するためである、
請求項８に記載のユーザー指令の実行装置。
【請求項１５】
ユーザーの入力した指令を受け、プリセットされた一連のプログラムを前記指令に従って実行するプロセッサと、
プロセッサが実行可能な指令を記憶するメモリと
を含む、ユーザー指令の実行装置。
【発明の詳細な説明】
【技術分野】
【０００１】
本願は、出願番号ＣＮ２０１４１０１３０７７３．１、出願日２０１４年０３月２８日の中国特許出願に基づいて提出されたものであり、該中国特許出願の優先権を要求し、該中国特許出願のすべての内容を参考として本願に取り込む。
本発明は、移動端末技術分野に関し、特に移動端末部品の技術分野に関する。
【背景技術】
【０００２】
従来技術には、移動端末のほとんどはタッチスクリーンとわずかのエンティティボタン（Ｅｎｔｉｔｙ  ｂｕｔｔｏｎ）を有する。タッチスクリーンを誤ってタッチすることを避けるため、移動端末を使用しない場合に、移動端末のタッチスクリーンをロック状態に設定する必要がある。使用する場合に、タッチスクリーンをアンロックしてから、タッチスクリーンで移動端末をコントロールする。
【０００３】
エンティティボタンは、少なすぎるので、有限な機能だけをコントロールすることができるものの、大部分の操作は、タッチスクリーンを介さなければ実現できない。それ故、使用するたびに、スクリーンをタッチして明るくし、アンロックし、アプリケーションを選択し、機能を実行する操作をしなければならないので、とても冗長であり、効率も劣り、大量の操作時間を費やしてしまう。
【発明の概要】
【０００４】
従来技術に存在する問題を解決するため、本発明は、ユーザー指令の実行方法および実行装置を提供する。
【０００５】
本発明の実施形態の第１方面は、ユーザーの入力した指令を受けることと、プリセットされた一連のプログラムを前記指令に従って実行することとを含む、ユーザー指令の実行方法を提供する。
【０００６】
本発明の実施形態の第２方面は、ユーザーの入力した指令を受ける受け取りユニットと、プリセットされた一連のプログラムを前記指令に従って実行する実行ユニットとを含む、ユーザー指令の実行装置を提供する。
【０００７】
本発明の実施形態の第２方面は、ユーザーの入力した指令を受ける受け取り、プリセットされた一連のプログラムを前記指令に従って実行するプロセッサと、プロセッサが実行可能な指令を記憶するメモリとを含む、ユーザー指令の実行装置を提供する。
【０００８】
本発明の実施形態で提供される技術構成は、下記のような有益な効果を含む。
【０００９】
即ち、ユーザーが移動端末を使用する時、スクリーンをアンロックする必要はなく、直接にボタンを押すことで、プリセットした一連のプログラムを実行することができ、操作しやすくて精度が高く、操作の効率を上げた。
【００１０】
以上の一般的な記述および後での詳しい記述は、例示的と説明的なものに過ぎず、本発明はそれらに限られていない。
【図面の簡単な説明】
【００１１】
以下の図面は、明細書の一部分として明細書全体を構成することにより、本発明に合致する実施例を例示するとともに、本発明の原理を解釈するためのものである。
【図１】例示的な一形態に示されるユーザー指令の実行方法のフローチャート図である。
【図２Ａ】例示的な一形態に示される移動端末２０１を示す図である。
【図２Ｂ】例示的な一形態に示される移動端末２０１を示す図である。
【図３】例示的な一形態に示されるイヤホンジャックボタン２０５を示す図である。
【図４】例示的な一形態に示されるユーザー指令の実行方法のフローチャート図である。
【図４Ａ】例示的な一形態に示される端末インターフェースを示す図である。
【図４Ｂ】例示的な一形態に示される端末インターフェースを示す図である。
【図４Ｃ】例示的な一形態に示される端末インターフェースを示す図である。
【図４Ｄ】例示的な一形態に示される端末インターフェースを示す図である。
【図４Ｅ】例示的な一形態に示される端末インターフェースを示す図である。
【図４Ｆ】例示的な一形態に示される端末インターフェースを示す図である。
【図４Ｇ】例示的な一形態に示される端末インターフェースを示す図である。
【図５】例示的な一形態に示されるユーザー指令の実行方法のフローチャート図である。
【図６】例示的な一形態に示されるユーザー指令の実行方法のフローチャート図である。
【図７Ａ】例示的な一形態に示されるユーザー指令の実行装置のブロック図である。
【図７Ｂ】例示的な一形態に示されるユーザー指令の実行装置のブロック図である。
【図８】例示的な一形態に示されるユーザー指令の実行装置８００のブロック図である。
【発明を実施するための形態】
【００１２】
次に例示的な実施形態を詳しく説明し、例示を図面に示す。以下の記述は図面に係る場合、特別に表示する以外は、違う図の中の同じの数字は、同じまたは類似した要素を表す。以下の例示的な実施例の実施形態は、本発明と一致するあらゆる実施形態を表すものではなく、請求の範囲に詳しく記載した、本発明のある方面と一致する装置と方法の例に過ぎない。
【００１３】
図１は、例示的な一形態により示されるユーザー指令の実行方法のフローチャート図である。図１に示されるように、ユーザー指令の実行方法は端末に用いられ、下記のステップを含む。
【００１４】
ステップＳ１０１：ユーザーが入力した指令を受ける。
【００１５】
その中で、ユーザーは移動端末のタッチスクリーンまたは押しボタンを介して指令を入力し、移動端末はユーザーから入力された指令を受ける。図２Ａは例示的な一形態に示される移動端末２０１を示す図である。図２Ａに示されるように、ユーザーは移動端末２０１のタッチスクリーン２０２を介して指令を入力してもよいし、移動端末２０１の押しボタン２０３を介して指令を入力してもよい。ユーザーが入力した指令は、シングルクリック指令、ダブルクリック指令、または長押し指令であってもよい。
【００１６】
本発明の他の形態において、図２Ｂに示されるように、図２Ｂは例示的な一形態に示される移動端末２０１を示す図である。図２Ａと違って、移動端末２０１のイヤホンジャック２０４にイヤホンジャックボタン２０５が挿入されており、ユーザーは、イヤホンジャックボタン２０５を介して指令を入力することができる。図３は例示的な一形態に示されるイヤホンジャックボタン２０５を示す図である。図３に示されるように、イヤホンジャックボタン２０５は、プラグ３０１と、本体３０２と、ボタン３０３とを含み、プラグ３０１は、移動端末２０１のイヤホンジャック２０４の中に挿入する。しっかりすべて挿入した後、本体３０２は移動端末２０１の外部にある。ユーザーは押しボタン３０３を押して移動端末２０１に指令を入力することができ、移動端末２０１は、ユーザーが押しボタン３０３を介して入力した指令を受ける。
【００１７】
ステップＳ１０２：プリセットした一連のプログラムを前記指令に従って実行する。
【００１８】
その中で、一連のプログラムは、ユーザーが予めセットすることができる。一連のプログラムは、例えば写真撮り、スクリーンショット、録音、録画、懐中電灯のオン、コール、メールの送信、ミニブログなどのアプリケーションのような、少なくとも一つのプログラム、あるいはプログラムの中の一つの機能を含んでもよいし、スクリーンのロック、スクリーンのローテーション、メモリクリアなどのシステム機能を含んでもよいし、コールと録音、スクリーンショットとミニブログ、写真を撮ってからミニブログやモーメントの発表などの、二つ以上のプログラムからなる一連のプログラムを含んでもよい。ユーザーは、必要に応じて、一連のプログラムのアプリケーションの種類、および異なるアプリケーション間の配列順所を設定することができる。
【００１９】
移動端末は、ユーザーが入力した押しボタン指令を受けた後、押しボタン指令に従って、ユーザーがプリセットした、該押しボタン指令と対応する一連のプログラムを実行し、一連のプログラムを速く実行する目的を達成できる。
【００２０】
本発明の実施形態で提供されるユーザー指令の実行方法によって、ユーザーは移動端末を使用する時、スクリーンをアンロックする必要はなく、直接にボタンを押すことで、プリセットした一連のプログラムを実行することができ、操作しやすくて精度が高く、操作の効率を上げた。
【００２１】
図４は例示的な一形態に示されるユーザー指令の実行方法のフローチャート図である。図４に示されるように、ユーザー指令の実行方法は端末に用いられ、下記のステップを含む。
【００２２】
ステップＳ４０１：ユーザーが入力した、連続クッリクの回数が２回を超えた連続クッリク指令を受ける。
【００２３】
その中で、ユーザーが指令を入力する時、連続クリック指令を入力することができる。連続クリックの回数は２回を超えることができる。移動端末は、ユーザーの入力を検測し、ユーザーが連続クリックした回数を取得することができる。ユーザーが連続クリックした回数は、２回、３回、４回、．．．１０回、．．．１００回などであってもよい。
【００２４】
ステップＳ４０２：プリセットした一連のプログラムを前記連続クリックの回数によって実行する。
【００２５】
異なる連続クリックの回数は、異なる一連のプログラムの組み合わせに対応する。図４Ａ〜図４Ｇは例示的な一形態に示される端末インターフェースを示す図である。図４Ａに示されるように、ユーザーの設定によって、ユーザーが入力したシングルクリック指令を受けると、直接に写真を撮るための一連のプログラムを実行する。ユーザーが入力したダブルクリック指令を受けると、懐中電灯をオンにするための一連のプログラムを実行する。ユーザーが入力したトリプルクリック指令を受けると、録音をオンにするための一連のプログラムを実行する。図４Ｂと図４Ａとの相違点は、ユーザーが入力した４回クリック指令を受けると、スクリーンショットをしてから発表するための一連のプログラムを実行することにある。図４Ｃに示されるように、このインターフェースでは、ユーザーはクリックして異なる連続クリック回数を選択可能であり、その後に連続クリックの回数によって異なる一連のプログラムを設定することができる。図４Ｄに示されるように、このインターフェースでは、ユーザーはトリプルクリックに対応する一連のプログラムを設定した。
【００２６】
ユーザーは図４Ａ〜図４Ｃのインターフェースにおいてシングルクリックの選択肢をクリックする場合、必要に応じて自らシングルクリックに対応する機能を設定することができる。本実施形態で、図４Ｅに示されるように、シングルクリックに対応する機能は、直接に写真を撮ることである。ユーザーは撮った写真をさらに処理したい場合、スクリーンの下の追加ボタンを押して、該一連のプログラムに二つ目の機能を設定することができる。図４Ｆに示されるように、シングルクリックに対応する一連のプログラムは、写真を撮ってからモーメントに発表することであってもよいし、図４Ｇに示されるように、シングルクリックに対応する一連のプログラムは、スクリーンショットをしてからミニブログで発表することであってもよい。
【００２７】
本発明の実施形態で提供されるユーザー指令の実行方法により、ユーザーは一つのボタンを使うことで、連続クリックの回数に違う機能を対応させることができ、押しボタンのスケーラビリティを高め、ユーザーの操作を簡便化にした。
【００２８】
図５は例示的な一形態に示されるユーザー指令の実行方法のフローチャート図である。図５に示されるように、ユーザー指令の実行方法は端末に用いられ、下記のステップを含む。
【００２９】
ステップＳ５０１：ユーザーが入力した指令を受ける。
【００３０】
本発明の実施形態では、ステップＳ５０１はステップＳ１０１と同じなので、ここでは繰り返して説明しない。
【００３１】
ステップＳ５０２：現在の端末の状態を取得する。
【００３２】
本発明の実施形態において、移動端末の状態は、スタンバイ状態、通話状態、録音状態などを含む。
【００３３】
ステップＳ５０３：プリセットされた一連のプログラムを現在の端末の状態と前記指令に従って実行する。
【００３４】
本発明の実施形態において、移動端末が異なる状態において、ユーザーは同じ指令を入力しても、異なる一連のプログラムに対応することが可能である。例えば、スタンバイ状態において、ユーザーはシングルクリック指令を入力したら、写真を撮るための一連のプログラムに対応できる。通話状態において、ユーザーはシングルクリック指令を入力すると、録音の一連のプログラムに対応できる。異なる状態において、同じ指令に対応して異なる一連のプログラムは、ユーザーが予め設定することができる。
【００３５】
本発明の実施形態で提供されるユーザー指令の実行方法により、端末の現在の状態を識別することで、異なる状態に異なる一連のプログラムをマッチングし、押しボタンのスケーラビリティを高め、ユーザーの操作を簡便化にした。
【００３６】
図６は例示的な一形態に示されるユーザー指令の実行方法のフローチャート図である。図６に示されるように、ユーザー指令の実行方法は端末に用いられ、下記のステップを含む。
【００３７】
ステップＳ６０１：ユーザーが入力した長押し指令を受ける。
【００３８】
本発明の実施形態では、移動端末はユーザーの長押し指令を受ける。長押し指令は、０．５秒または１秒以上の指令であってもよい。長押し指令の時間の長さは、ユーザーが自分の習慣によって自ら設定することができる。
【００３９】
ステップＳ６０２：前記長押し指令に従って前記一連のプログラムの実行を終止する、および／または前記一連のプログラムを終了する。
【００４０】
本発明の実施形態では、ユーザーは長押し指令を入力すると、移動端末は現在の一連のプログラムを終止することもできるし、現在の一連のプログラムを終了し、デスクトップ状態又は待機状態に戻る。
【００４１】
本発明の実施形態で提供されるユーザー指令の実行方法により、どのような状態においても、速やかに現在の一連のプログラムを終止するか、現在の一連のプログラムを終了することができ、複雑な終了指令の入力やスクリーンをアンロックしてから選択する必要はないので、ユーザーの操作を簡便化し、操作の効率を高めた。
【００４２】
図７Ａは例示的な一形態に示されるユーザー指令の実行装置のブロック図である。図７を参照に、ユーザー指令の実行装置７０１は、ユーザーが入力した指令を受ける受け取りユニット７０２と、プリセットした一連のプログラムを前記指令に従って実行する実行ユニット７０３とを含む。
【００４３】
図７Ｂは例示的な一形態に示されるユーザー指令の実行装置のブロック図である。図８を参照に、ユーザー指令の実行装置７０４は、ユーザーが入力した指令を受ける受け取りユニット７０５と、現在の端末の状態を取得する状態取得ユニット７０６と、プリセットした一連のプログラムを現在の端末の状態と前記指令に従って実行する実行ユニット７０７とを含む。
【００４４】
上記実施形態に置ける装置に関して、各モジュールが操作を実行する具体的な方式についてすでに該方法に関する実施形態で詳しく記述したので、ここでは詳細な説明はしない。
【００４５】
図８は例示的な一形態に示されるユーザー指令の実行装置８００のブロック図である。例えば、装置８００は、携帯電話、コンピューター、デジタル放送端末、メッセージングデバイス、ケーム機、タブレットデバイス、医療装置、フィットネス機器、パーソナルデジタルアシスタント（ＰＤＡ）などであってもよい。
【００４６】
図８を参照に、装置８００は、プロセッシングコンポーネント８０２、メモリ８０４、電源コンポーネント８０６、マルチメディアコンポーネント８０８、オーディオコンポーネント８１０、インプット／アウトプット（Ｉ／Ｏ）のインターフェイス８１２、センサーコンポーネント８１４、および通信コンポーネント８１６からなる群れより選ばれる一つ以上のコンポーネントを含んでもよい。
【００４７】
プロセッシングコンポーネント８０２は通常、装置８００の全体的な操作をコントロールする。例えば、ディスプレイ、電話の呼び出し、データ通信、カメラ操作および記録操作に関連する操作などが挙げられる。プロセッシングコンポーネント８０２は、上記方法のすべてあるいは一部のステップを完成する為に、指令を実行するように一つ以上のプロッセッサー８２０を含んでもよい。また、プロッセシングコンポーネント８０２は、その他のコンポーネントとのやり取りのため、一つ以上のモジュールを含んでもよい。例えば、マルチメディアコンポーネント８０８とプロッセシングコンポーネント８０２とのやり取りに便宜を与えるため、プロッセシング８０２はマルチメディアコンポーネントを含んでもよい。
【００４８】
プロセッサコンポーネント８０２は、ユーザーが入力した指令を受け、プリセットした一連のプログラムを前記指令に従って実行するように設置される。
【００４９】
メモリ８０４は装置８００において、操作を実行するため、各種のデータを記憶するように配置されている。これらのデータの例示は、装置８００において操作する任意のアプリケーションプログラム又は方法のコマンド、連絡先データ、電話帳データ、メッセージ、画像、映像等を含む。メモリ８０４は、スタティックランダムアクセスメモリ（ＳＲＡＭ）、電気的に書き込みと消去が可能なＲＯＭ（ＥＥＰＲＯＭ）、電気的に書き込み可能なＲＯＭ（ＥＰＲＯＭ）、書き込み可能メモリ（ＰＲＯＭ）、読み出し専用メモリ（ＲＯＭ）、磁気メモリ、フラッシュメモリ、磁気ディスク又は光ディスク等の全ての種類の揮発性もしくは不揮発性メモリ、又はそれらの組み合わせにより実現することができる。
【００５０】
電源コンポーネント８０６は装置８００における各種コンポーネントに給電する。電源コンポーネント８０６は電源管理システム、一つ又は複数の電源、およびその他の装置８００のため、電力の生成、管理及び分配と関連するコンポーネントを含むことができる。
【００５１】
マルチメディアコンポーネント８０８は、前記装置８００とユーザとの間で出力インタフェースを提供するスクリーンを含む。一部の実施例において、スクリーンは液晶ディスプレイ（ＬＣＤ）及びタッチパネル（ＴＰ）を含むことができる。スクリーンがタッチパネルを含む場合、ユーザからの入力信号を受信するために、スクリーンはタッチスクリーンとして実現することができる。タッチ、スワイプ及びタッチパネル上の手の動きを感知するために、タッチパネルは一つ又は複数のタッチセンサを含んでいる。前記タッチセンサはタッチ又はスワイプ操作の境目を感知するだけでなく、前記タッチ又はスワイプ操作の持続時間及び圧力も感知する。一部の実施例において、マルチメディアコンポーネント８０８は一つのフロントカメラ及び／又はバックカメラを含む。装置８００が、例えば撮影モード又は映像モードなどの操作モードにある場合、フロントカメラ及び／又バックカメラは外部のマルチメディアデータを受信することができる。それぞれのフロントカメラ及びバックカメラは一つの固定の光学レンズシステム又は、焦点距離及び光学ズーム機能を有するものであってもよい。
【００５２】
オーディオコンポーネント８１０はオーディオ信号を出力及び／又は入力するように配置されている。例えば、オーディオコンポーネント８１０は一つのマイクロフォン（ＭＩＣ）を含んでおり、装置８００が呼び出しモード、記録モード及び音声認識モードのような操作モードにある場合、マイクロフォンは外部のオーディオ信号を受信するように配置されている。受信したオーディオ信号は更にメモリ８０４に記憶されるか、又は通信コンポーネント８１６を経由して送信することができる。一部の実施例において、オーディオコンポーネント８１０は更に一つの、オーディオ信号を出力するためのスピーカーを含む。
【００５３】
Ｉ／Ｏのインタフェース８１２は、処理コンポーネント８０２と周辺インタフェースモジュールの間でインタフェースを提供し、上述した周辺インタフェースモジュールはキーボード、クリックホイール、ボタンなどであってもよい。これらのボタンにはホームページボタン、音量ボタン、起動ボタン及びロックボタンが含まれるが、これに限定されない。
【００５４】
センサコンポーネント８１４は、装置８００に各方面の状態の評価を提供するために、一つ又は複数のセンサを含んでいる。例えば、センサコンポーネント８１４は装置８００のオン／オフ状態、コンポーネントの相対位置を感知することができる。前記コンポーネントは例えば、装置８００のディスプレイ及びキーパッドであってもよく、センサコンポーネント８１４は更に、装置８００又は装置８００の一つのコンポーネントの位置変化、ユーザと装置８００の接触の有無、装置８００の方位又は加速／減速及び、装置８００の温度変化を検出することができる。センサコンポーネント８１４は接近センサを含むことができ、これは如何なる物理的接触がない場合においても付近の物体の存在を検出するように配置されている。センサコンポーネント８１４は更に、イメージング応用において使用される、ＣＭＯＳ又はＣＣＤイメージセンサのような光センサを含むことができる。一部の実施例において、該センサコンポーネント８１４は更に、加速度センサ、ジャイロセンサ、磁気センサ、圧力センサ又は温度センサを含むことができる。
【００５５】
通信コンポーネント８１６は、装置８００がその他装置と有線又は無線方式の通信をするように配置されている。装置８００は、例えばＷｉＦｉ、２Ｇ若しくは３Ｇ、又はそれらの組み合わせなどの、通信規格に準拠した無線ネットワークに接続することができる。一つの例示的な実施例において、通信コンポーネント８１６は放送チャンネルを経由して、外部の放送管理システムからの放送信号又は、放送関連情報を受信する。一つの例示的な実施例において、前記通信コンポーネント８１６は更に近距離通信を促進するための近距離無線通信（ＮＦＣ）モジュールを含んでいる。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及びその他の技術に基づき、実現することが可能である。
【００５６】
例示的な実施例において、装置８００は一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子デバイスにより実現することができ、上述した方法を実行するために使用される。
【００５７】
例示的な実施例において、例えばコマンドを含むメモリ８０４のような、コマンドを含む非臨時的なコンピュータ読み取り可能な記憶媒体を提供し、上述したコマンドは装置８００のプロセッサ８２０によって実行されることで上述した方法を完成することができる。例えば、前記非臨時的なコンピュータ読み取り可能な記憶媒体はＲＯＭ、ランダムアクセスメモリ（ＲＡＭ）、ＣＤ−ＲＯＭ、磁気テープ、フロッピー（登録商標）ディスク及び光データ記憶装置などであってもよい。
【００５８】
非臨時的なコンピューター可読記憶媒体であって、前記記憶媒体中の指令が移動端末のプロセッサにより実行される場合、移動端末が下記のユーザー指令の実行方法を実行することを可能にする。該方法は、ユーザーが入力した指令を受けることと、プリセットした一連のプログラムを前記指令に従って実行することとを含む。
【００５９】
任意に、前記方法はさらに、ユーザーがプリセットした一連のプログラムの情報を受けることを含む。
【００６０】
任意に、前記ユーザーが入力した指令を受けることは、ユーザーが入力した、連続クッリクの回数が２回を超えた連続クッリク指令を受けることを含む。
【００６１】
任意に、前記指令に従ってプリセットした一連のプログラムを実行することは、プリセットした一連のプログラムを前記連続クッリクの回数によって実行することを含む。
【００６２】
任意に、前記指令に従ってプリセットした一連のプログラムを実行することは、現在の端末の状態を取得することと、プリセットした一連のプログラムを現在の端末の状態と前記指令に従って実行することとを含む。
【００６３】
任意に、前記プリセットした一連のプログラムを前記指令に従って実行することは、
プリセットした少なくとも一つのプログラムを前記指令に従って所定の順序で実行することを含む。
【００６４】
任意に、前記ユーザーが入力した指令を受けることは、ユーザーが入力した長押し指令を受けることを含み、前記プリセットした一連のプログラムを前記指令に従って実行することは、前記長押し指令に従って前記一連のプログラムの実行を終止する、および／または前記一連のプログラムを終了することを含む。
【００６５】
当業者は明細書を考慮に入れてここに開示された発明を実践した後、本発明のその他の実施形態を容易に想到できる。本願は、本発明に開示されていない本技術分野の公知常識あるいは慣用の技術手段を含む、本発明の一般的な原則内の、本発明のいかなる変形、用途または適応的な変化をカバーする。明細書と実施例はただ例示的なものに過ぎず、本発明の真の範囲と精神は、次の請求の範囲により示される。
【００６６】
本発明は、上記記述した、且つ図面に示される正確な構造に限られていなく、しかもその範囲を逸脱しない限り、各種の修正と変化を取ることができる。本発明の範囲は、添付される請求の範囲により制限される。
【図１】
2016527577.tif 000003
【図２Ａ】
2016527577.tif 000004
【図２Ｂ】
2016527577.tif 000005
【図３】
2016527577.tif 000006
【図４】
2016527577.tif 000007
【図４Ａ】
2016527577.tif 000008
【図４Ｂ】
2016527577.tif 000009
【図４Ｃ】
2016527577.tif 000010
【図４Ｄ】
2016527577.tif 000011
【図４Ｅ】
2016527577.tif 000012
【図４Ｆ】
2016527577.tif 000013
【図４Ｇ】
2016527577.tif 000014
【図５】
2016527577.tif 000015
【図６】
2016527577.tif 000016
【図７Ａ】
2016527577.tif 000017
【図７Ｂ】
2016527577.tif 000018
【図８】
2016527577.tif 000019
【手続補正書】
【提出日】平成26年10月14日(2014.10.14)
【手続補正１】
【補正対象書類名】明細書
【補正対象項目名】全文
【補正方法】変更
【補正の内容】
【発明の詳細な説明】
【技術分野】
【０００１】
本願は、出願番号ＣＮ２０１４１０１３０７７３．１、出願日２０１４年０３月２８日の中国特許出願に基づいて提出されたものであり、該中国特許出願の優先権を要求し、該中国特許出願のすべての内容を参考として本願に取り込む。
本発明は、移動端末技術分野に関し、特に移動端末部品、プログラム及び記憶媒体の技術分野に関する。
【背景技術】
【０００２】
従来技術には、移動端末のほとんどはタッチスクリーンとわずかのエンティティボタン（Ｅｎｔｉｔｙ  ｂｕｔｔｏｎ）を有する。タッチスクリーンを誤ってタッチすることを避けるため、移動端末を使用しない場合に、移動端末のタッチスクリーンをロック状態に設定する必要がある。使用する場合に、タッチスクリーンをアンロックしてから、タッチスクリーンで移動端末をコントロールする。
【発明の概要】
【発明が解決しようとする課題】
【０００３】
エンティティボタンは、少なすぎるので、有限な機能だけをコントロールすることができるものの、大部分の操作は、タッチスクリーンを介さなければ実現できない。それ故、使用するたびに、スクリーンをタッチして明るくし、アンロックし、アプリケーションを選択し、機能を実行する操作をしなければならないので、とても冗長であり、効率も劣り、大量の操作時間を費やしてしまう。
【０００４】
従来技術に存在する問題を解決するため、本発明は、ユーザー指令の実行方法、実行装置、プログラム及び記憶媒体を提供する。
【課題を解決するための手段】
【０００５】
本発明の実施形態の第１方面は、ユーザーの入力した指令を受けることと、プリセットされた一連のプログラムを前記指令に従って実行することとを含む、ユーザー指令の実行方法を提供する。
【０００６】
本発明の実施形態の第２方面は、ユーザーの入力した指令を受ける受け取りユニットと、プリセットされた一連のプログラムを前記指令に従って実行する実行ユニットとを含む、ユーザー指令の実行装置を提供する。
【０００７】
本発明の実施形態の第３方面は、ユーザーの入力した指令を受ける受け取り、プリセットされた一連のプログラムを前記指令に従って実行するプロセッサと、プロセッサが実行可能な指令を記憶するメモリとを含む、ユーザー指令の実行装置を提供する。
本発明の実施形態の第４方面は、プロセッサに実行されることにより、前記ユーザー指令の実行方法を実現することを特徴とするプログラムを提供する。
本発明の実施形態の第５方面は、前記プログラムが記録された記録媒体を提供する。
【０００８】
本発明の実施形態で提供される技術構成は、下記のような有益な効果を含む。
【０００９】
即ち、ユーザーが移動端末を使用する時、スクリーンをアンロックする必要はなく、直接にボタンを押すことで、プリセットした一連のプログラムを実行することができ、操作しやすくて精度が高く、操作の効率を上げた。
【００１０】
以上の一般的な記述および後での詳しい記述は、例示的と説明的なものに過ぎず、本発明はそれらに限られていない。
以下の図面は、明細書の一部分として明細書全体を構成することにより、本発明に合致する実施例を例示するとともに、本発明の原理を解釈するためのものである。
【図面の簡単な説明】
【００１１】
【図１】例示的な一形態に示されるユーザー指令の実行方法のフローチャート図である。
【図２Ａ】例示的な一形態に示される移動端末２０１を示す図である。
【図２Ｂ】例示的な一形態に示される移動端末２０１を示す図である。
【図３】例示的な一形態に示されるイヤホンジャックボタン２０５を示す図である。
【図４】例示的な一形態に示されるユーザー指令の実行方法のフローチャート図である。
【図４Ａ】例示的な一形態に示される端末インターフェースを示す図である。
【図４Ｂ】例示的な一形態に示される端末インターフェースを示す図である。
【図４Ｃ】例示的な一形態に示される端末インターフェースを示す図である。
【図４Ｄ】例示的な一形態に示される端末インターフェースを示す図である。
【図４Ｅ】例示的な一形態に示される端末インターフェースを示す図である。
【図４Ｆ】例示的な一形態に示される端末インターフェースを示す図である。
【図４Ｇ】例示的な一形態に示される端末インターフェースを示す図である。
【図５】例示的な一形態に示されるユーザー指令の実行方法のフローチャート図である。
【図６】例示的な一形態に示されるユーザー指令の実行方法のフローチャート図である。
【図７Ａ】例示的な一形態に示されるユーザー指令の実行装置のブロック図である。
【図７Ｂ】例示的な一形態に示されるユーザー指令の実行装置のブロック図である。
【図８】例示的な一形態に示されるユーザー指令の実行装置８００のブロック図である。
【発明を実施するための形態】
【００１２】
次に例示的な実施形態を詳しく説明し、例示を図面に示す。以下の記述は図面に係る場合、特別に表示する以外は、違う図の中の同じの数字は、同じまたは類似した要素を表す。以下の例示的な実施例の実施形態は、本発明と一致するあらゆる実施形態を表すものではなく、請求の範囲に詳しく記載した、本発明のある方面と一致する装置と方法の例に過ぎない。
【００１３】
図１は、例示的な一形態により示されるユーザー指令の実行方法のフローチャート図である。図１に示されるように、ユーザー指令の実行方法は端末に用いられ、下記のステップを含む。
【００１４】
ステップＳ１０１：ユーザーが入力した指令を受ける。
【００１５】
その中で、ユーザーは移動端末のタッチスクリーンまたは押しボタンを介して指令を入力し、移動端末はユーザーから入力された指令を受ける。図２Ａは例示的な一形態に示される移動端末２０１を示す図である。図２Ａに示されるように、ユーザーは移動端末２０１のタッチスクリーン２０２を介して指令を入力してもよいし、移動端末２０１の押しボタン２０３を介して指令を入力してもよい。ユーザーが入力した指令は、シングルクリック指令、ダブルクリック指令、または長押し指令であってもよい。
【００１６】
本発明の他の形態において、図２Ｂに示されるように、図２Ｂは例示的な一形態に示される移動端末２０１を示す図である。図２Ａと違って、移動端末２０１のイヤホンジャック２０４にイヤホンジャックボタン２０５が挿入されており、ユーザーは、イヤホンジャックボタン２０５を介して指令を入力することができる。図３は例示的な一形態に示されるイヤホンジャックボタン２０５を示す図である。図３に示されるように、イヤホンジャックボタン２０５は、プラグ３０１と、本体３０２と、ボタン３０３とを含み、プラグ３０１は、移動端末２０１のイヤホンジャック２０４の中に挿入する。しっかりすべて挿入した後、本体３０２は移動端末２０１の外部にある。ユーザーは押しボタン３０３を押して移動端末２０１に指令を入力することができ、移動端末２０１は、ユーザーが押しボタン３０３を介して入力した指令を受ける。
【００１７】
ステップＳ１０２：プリセットした一連のプログラムを前記指令に従って実行する。
【００１８】
その中で、一連のプログラムは、ユーザーが予めセットすることができる。一連のプログラムは、例えば写真撮り、スクリーンショット、録音、録画、懐中電灯のオン、コール、メールの送信、ミニブログなどのアプリケーションのような、少なくとも一つのプログラム、あるいはプログラムの中の一つの機能を含んでもよいし、スクリーンのロック、スクリーンのローテーション、メモリクリアなどのシステム機能を含んでもよいし、コールと録音、スクリーンショットとミニブログ、写真を撮ってからミニブログやモーメントの発表などの、二つ以上のプログラムからなる一連のプログラムを含んでもよい。ユーザーは、必要に応じて、一連のプログラムのアプリケーションの種類、および異なるアプリケーション間の配列順所を設定することができる。
【００１９】
移動端末は、ユーザーが入力した押しボタン指令を受けた後、押しボタン指令に従って、ユーザーがプリセットした、該押しボタン指令と対応する一連のプログラムを実行し、一連のプログラムを速く実行する目的を達成できる。
【００２０】
本発明の実施形態で提供されるユーザー指令の実行方法によって、ユーザーは移動端末を使用する時、スクリーンをアンロックする必要はなく、直接にボタンを押すことで、プリセットした一連のプログラムを実行することができ、操作しやすくて精度が高く、操作の効率を上げた。
【００２１】
図４は例示的な一形態に示されるユーザー指令の実行方法のフローチャート図である。図４に示されるように、ユーザー指令の実行方法は端末に用いられ、下記のステップを含む。
【００２２】
ステップＳ４０１：ユーザーが入力した、連続クッリクの回数が２回を超えた連続クッリク指令を受ける。
【００２３】
その中で、ユーザーが指令を入力する時、連続クリック指令を入力することができる。連続クリックの回数は２回を超えることができる。移動端末は、ユーザーの入力を検測し、ユーザーが連続クリックした回数を取得することができる。ユーザーが連続クリックした回数は、２回、３回、４回、...１０回、...１００回などであってもよい。
【００２４】
ステップＳ４０２：プリセットした一連のプログラムを前記連続クリックの回数によって実行する。
【００２５】
異なる連続クリックの回数は、異なる一連のプログラムの組み合わせに対応する。図４Ａ〜図４Ｇは例示的な一形態に示される端末インターフェースを示す図である。図４Ａに示されるように、ユーザーの設定によって、ユーザーが入力したシングルクリック指令を受けると、直接に写真を撮るための一連のプログラムを実行する。ユーザーが入力したダブルクリック指令を受けると、懐中電灯をオンにするための一連のプログラムを実行する。ユーザーが入力したトリプルクリック指令を受けると、録音をオンにするための一連のプログラムを実行する。図４Ｂと図４Ａとの相違点は、ユーザーが入力した４回クリック指令を受けると、スクリーンショットをしてから発表するための一連のプログラムを実行することにある。図４Ｃに示されるように、このインターフェースでは、ユーザーはクリックして異なる連続クリック回数を選択可能であり、その後に連続クリックの回数によって異なる一連のプログラムを設定することができる。図４Ｄに示されるように、このインターフェースでは、ユーザーはトリプルクリックに対応する一連のプログラムを設定した。
【００２６】
ユーザーは図４Ａ〜図４Ｃのインターフェースにおいてシングルクリックの選択肢をクリックする場合、必要に応じて自らシングルクリックに対応する機能を設定することができる。本実施形態で、図４Ｅに示されるように、シングルクリックに対応する機能は、直接に写真を撮ることである。ユーザーは撮った写真をさらに処理したい場合、スクリーンの下の追加ボタンを押して、該一連のプログラムに二つ目の機能を設定することができる。図４Ｆに示されるように、シングルクリックに対応する一連のプログラムは、写真を撮ってからモーメントに発表することであってもよいし、図４Ｇに示されるように、シングルクリックに対応する一連のプログラムは、スクリーンショットをしてからミニブログで発表することであってもよい。
【００２７】
本発明の実施形態で提供されるユーザー指令の実行方法により、ユーザーは一つのボタンを使うことで、連続クリックの回数に違う機能を対応させることができ、押しボタンのスケーラビリティを高め、ユーザーの操作を簡便化にした。
【００２８】
図５は例示的な一形態に示されるユーザー指令の実行方法のフローチャート図である。図５に示されるように、ユーザー指令の実行方法は端末に用いられ、下記のステップを含む。
【００２９】
ステップＳ５０１：ユーザーが入力した指令を受ける。
【００３０】
本発明の実施形態では、ステップＳ５０１はステップＳ１０１と同じなので、ここでは繰り返して説明しない。
【００３１】
ステップＳ５０２：現在の端末の状態を取得する。
【００３２】
本発明の実施形態において、移動端末の状態は、スタンバイ状態、通話状態、録音状態などを含む。
【００３３】
ステップＳ５０３：プリセットされた一連のプログラムを現在の端末の状態と前記指令に従って実行する。
【００３４】
本発明の実施形態において、移動端末が異なる状態において、ユーザーは同じ指令を入力しても、異なる一連のプログラムに対応することが可能である。例えば、スタンバイ状態において、ユーザーはシングルクリック指令を入力したら、写真を撮るための一連のプログラムに対応できる。通話状態において、ユーザーはシングルクリック指令を入力すると、録音の一連のプログラムに対応できる。異なる状態において、同じ指令に対応して異なる一連のプログラムは、ユーザーが予め設定することができる。
【００３５】
本発明の実施形態で提供されるユーザー指令の実行方法により、端末の現在の状態を識別することで、異なる状態に異なる一連のプログラムをマッチングし、押しボタンのスケーラビリティを高め、ユーザーの操作を簡便化にした。
【００３６】
図６は例示的な一形態に示されるユーザー指令の実行方法のフローチャート図である。図６に示されるように、ユーザー指令の実行方法は端末に用いられ、下記のステップを含む。
【００３７】
ステップＳ６０１：ユーザーが入力した長押し指令を受ける。
【００３８】
本発明の実施形態では、移動端末はユーザーの長押し指令を受ける。長押し指令は、０．５秒または１秒以上の指令であってもよい。長押し指令の時間の長さは、ユーザーが自分の習慣によって自ら設定することができる。
【００３９】
ステップＳ６０２：前記長押し指令に従って前記一連のプログラムの実行を終止する、および／または前記一連のプログラムを終了する。
【００４０】
本発明の実施形態では、ユーザーは長押し指令を入力すると、移動端末は現在の一連のプログラムを終止することもできるし、現在の一連のプログラムを終了し、デスクトップ状態又は待機状態に戻る。
【００４１】
本発明の実施形態で提供されるユーザー指令の実行方法により、どのような状態においても、速やかに現在の一連のプログラムを終止するか、現在の一連のプログラムを終了することができ、複雑な終了指令の入力やスクリーンをアンロックしてから選択する必要はないので、ユーザーの操作を簡便化し、操作の効率を高めた。
【００４２】
図７Ａは例示的な一形態に示されるユーザー指令の実行装置のブロック図である。図７を参照に、ユーザー指令の実行装置７０１は、ユーザーが入力した指令を受ける受け取りユニット７０２と、プリセットした一連のプログラムを前記指令に従って実行する実行ユニット７０３とを含む。
【００４３】
図７Ｂは例示的な一形態に示されるユーザー指令の実行装置のブロック図である。図８を参照に、ユーザー指令の実行装置７０４は、ユーザーが入力した指令を受ける受け取りユニット７０５と、現在の端末の状態を取得する状態取得ユニット７０６と、プリセットした一連のプログラムを現在の端末の状態と前記指令に従って実行する実行ユニット７０７とを含む。
【００４４】
上記実施形態に置ける装置に関して、各モジュールが操作を実行する具体的な方式についてすでに該方法に関する実施形態で詳しく記述したので、ここでは詳細な説明はしない。
【００４５】
図８は例示的な一形態に示されるユーザー指令の実行装置８００のブロック図である。例えば、装置８００は、携帯電話、コンピューター、デジタル放送端末、メッセージングデバイス、ケーム機、タブレットデバイス、医療装置、フィットネス機器、パーソナルデジタルアシスタント（ＰＤＡ）などであってもよい。
【００４６】
図８を参照に、装置８００は、プロセッシングコンポーネント８０２、メモリ８０４、電源コンポーネント８０６、マルチメディアコンポーネント８０８、オーディオコンポーネント８１０、インプット／アウトプット（Ｉ／Ｏ）のインターフェイス８１２、センサーコンポーネント８１４、および通信コンポーネント８１６からなる群れより選ばれる一つ以上のコンポーネントを含んでもよい。
【００４７】
プロセッシングコンポーネント８０２は通常、装置８００の全体的な操作をコントロールする。例えば、ディスプレイ、電話の呼び出し、データ通信、カメラ操作および記録操作に関連する操作などが挙げられる。プロセッシングコンポーネント８０２は、上記方法のすべてあるいは一部のステップを完成する為に、指令を実行するように一つ以上のプロッセッサー８２０を含んでもよい。また、プロッセシングコンポーネント８０２は、その他のコンポーネントとのやり取りのため、一つ以上のモジュールを含んでもよい。例えば、マルチメディアコンポーネント８０８とプロッセシングコンポーネント８０２とのやり取りに便宜を与えるため、プロッセシング８０２はマルチメディアコンポーネントを含んでもよい。
【００４８】
プロセッサコンポーネント８０２は、ユーザーが入力した指令を受け、プリセットした一連のプログラムを前記指令に従って実行するように設置される。
【００４９】
メモリ８０４は装置８００において、操作を実行するため、各種のデータを記憶するように配置されている。これらのデータの例示は、装置８００において操作する任意のアプリケーションプログラム又は方法のコマンド、連絡先データ、電話帳データ、メッセージ、画像、映像等を含む。メモリ８０４は、スタティックランダムアクセスメモリ（ＳＲＡＭ）、電気的に書き込みと消去が可能なＲＯＭ（ＥＥＰＲＯＭ）、電気的に書き込み可能なＲＯＭ（ＥＰＲＯＭ）、書き込み可能メモリ（ＰＲＯＭ）、読み出し専用メモリ（ＲＯＭ）、磁気メモリ、フラッシュメモリ、磁気ディスク又は光ディスク等の全ての種類の揮発性もしくは不揮発性メモリ、又はそれらの組み合わせにより実現することができる。
【００５０】
電源コンポーネント８０６は装置８００における各種コンポーネントに給電する。電源コンポーネント８０６は電源管理システム、一つ又は複数の電源、およびその他の装置８００のため、電力の生成、管理及び分配と関連するコンポーネントを含むことができる。
【００５１】
マルチメディアコンポーネント８０８は、前記装置８００とユーザとの間で出力インタフェースを提供するスクリーンを含む。一部の実施例において、スクリーンは液晶ディスプレイ（ＬＣＤ）及びタッチパネル（ＴＰ）を含むことができる。スクリーンがタッチパネルを含む場合、ユーザからの入力信号を受信するために、スクリーンはタッチスクリーンとして実現することができる。タッチ、スワイプ及びタッチパネル上の手の動きを感知するために、タッチパネルは一つ又は複数のタッチセンサを含んでいる。前記タッチセンサはタッチ又はスワイプ操作の境目を感知するだけでなく、前記タッチ又はスワイプ操作の持続時間及び圧力も感知する。一部の実施例において、マルチメディアコンポーネント８０８は一つのフロントカメラ及び／又はバックカメラを含む。装置８００が、例えば撮影モード又は映像モードなどの操作モードにある場合、フロントカメラ及び／又バックカメラは外部のマルチメディアデータを受信することができる。それぞれのフロントカメラ及びバックカメラは一つの固定の光学レンズシステム又は、焦点距離及び光学ズーム機能を有するものであってもよい。
【００５２】
オーディオコンポーネント８１０はオーディオ信号を出力及び／又は入力するように配置されている。例えば、オーディオコンポーネント８１０は一つのマイクロフォン（ＭＩＣ）を含んでおり、装置８００が呼び出しモード、記録モード及び音声認識モードのような操作モードにある場合、マイクロフォンは外部のオーディオ信号を受信するように配置されている。受信したオーディオ信号は更にメモリ８０４に記憶されるか、又は通信コンポーネント８１６を経由して送信することができる。一部の実施例において、オーディオコンポーネント８１０は更に一つの、オーディオ信号を出力するためのスピーカーを含む。
【００５３】
Ｉ／Ｏのインタフェース８１２は、処理コンポーネント８０２と周辺インタフェースモジュールの間でインタフェースを提供し、上述した周辺インタフェースモジュールはキーボード、クリックホイール、ボタンなどであってもよい。これらのボタンにはホームページボタン、音量ボタン、起動ボタン及びロックボタンが含まれるが、これに限定されない。
【００５４】
センサコンポーネント８１４は、装置８００に各方面の状態の評価を提供するために、一つ又は複数のセンサを含んでいる。例えば、センサコンポーネント８１４は装置８００のオン／オフ状態、コンポーネントの相対位置を感知することができる。前記コンポーネントは例えば、装置８００のディスプレイ及びキーパッドであってもよく、センサコンポーネント８１４は更に、装置８００又は装置８００の一つのコンポーネントの位置変化、ユーザと装置８００の接触の有無、装置８００の方位又は加速／減速及び、装置８００の温度変化を検出することができる。センサコンポーネント８１４は接近センサを含むことができ、これは如何なる物理的接触がない場合においても付近の物体の存在を検出するように配置されている。センサコンポーネント８１４は更に、イメージング応用において使用される、ＣＭＯＳ又はＣＣＤイメージセンサのような光センサを含むことができる。一部の実施例において、該センサコンポーネント８１４は更に、加速度センサ、ジャイロセンサ、磁気センサ、圧力センサ又は温度センサを含むことができる。
【００５５】
通信コンポーネント８１６は、装置８００がその他装置と有線又は無線方式の通信をするように配置されている。装置８００は、例えばＷｉＦｉ、２Ｇ若しくは３Ｇ、又はそれらの組み合わせなどの、通信規格に準拠した無線ネットワークに接続することができる。一つの例示的な実施例において、通信コンポーネント８１６は放送チャンネルを経由して、外部の放送管理システムからの放送信号又は、放送関連情報を受信する。一つの例示的な実施例において、前記通信コンポーネント８１６は更に近距離通信を促進するための近距離無線通信（ＮＦＣ）モジュールを含んでいる。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及びその他の技術に基づき、実現することが可能である。
【００５６】
例示的な実施例において、装置８００は一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子デバイスにより実現することができ、上述した方法を実行するために使用される。
【００５７】
例示的な実施例において、例えばコマンドを含むメモリ８０４のような、コマンドを含む非臨時的なコンピュータ読み取り可能な記憶媒体を提供し、上述したコマンドは装置８００のプロセッサ８２０によって実行されることで上述した方法を完成することができる。例えば、前記非臨時的なコンピュータ読み取り可能な記憶媒体はＲＯＭ、ランダムアクセスメモリ（ＲＡＭ）、ＣＤ−ＲＯＭ、磁気テープ、フロッピー（登録商標）ディスク及び光データ記憶装置などであってもよい。
【００５８】
非臨時的なコンピューター可読記憶媒体であって、前記記憶媒体中の指令が移動端末のプロセッサにより実行される場合、移動端末が下記のユーザー指令の実行方法を実行することを可能にする。該方法は、ユーザーが入力した指令を受けることと、プリセットした一連のプログラムを前記指令に従って実行することとを含む。
【００５９】
任意に、前記方法はさらに、ユーザーがプリセットした一連のプログラムの情報を受けることを含む。
【００６０】
任意に、前記ユーザーが入力した指令を受けることは、ユーザーが入力した、連続クッリクの回数が２回を超えた連続クッリク指令を受けることを含む。
【００６１】
任意に、前記指令に従ってプリセットした一連のプログラムを実行することは、プリセットした一連のプログラムを前記連続クッリクの回数によって実行することを含む。
【００６２】
任意に、前記指令に従ってプリセットした一連のプログラムを実行することは、現在の端末の状態を取得することと、プリセットした一連のプログラムを現在の端末の状態と前記指令に従って実行することとを含む。
【００６３】
任意に、前記プリセットした一連のプログラムを前記指令に従って実行することは、
プリセットした少なくとも一つのプログラムを前記指令に従って所定の順序で実行することを含む。
【００６４】
任意に、前記ユーザーが入力した指令を受けることは、ユーザーが入力した長押し指令を受けることを含み、前記プリセットした一連のプログラムを前記指令に従って実行することは、前記長押し指令に従って前記一連のプログラムの実行を終止する、および／または前記一連のプログラムを終了することを含む。
【００６５】
当業者は明細書を考慮に入れてここに開示された発明を実践した後、本発明のその他の実施形態を容易に想到できる。本願は、本発明に開示されていない本技術分野の公知常識あるいは慣用の技術手段を含む、本発明の一般的な原則内の、本発明のいかなる変形、用途または適応的な変化をカバーする。明細書と実施例はただ例示的なものに過ぎず、本発明の真の範囲と精神は、次の請求の範囲により示される。
【００６６】
本発明は、上記記述した、且つ図面に示される正確な構造に限られていなく、しかもその範囲を逸脱しない限り、各種の修正と変化を取ることができる。本発明の範囲は、添付される請求の範囲により制限される。
【手続補正２】
【補正対象書類名】特許請求の範囲
【補正対象項目名】全文
【補正方法】変更
【補正の内容】
【特許請求の範囲】
【請求項１】
ユーザーの入力した指令を受けることと、
プリセットされた一連のプログラムを前記指令に従って実行することと
を含む、ユーザー指令の実行方法。
【請求項２】
ユーザーからプリセットされた一連のプログラムの情報を受けること
をさらに含む、請求項１に記載のユーザー指令の実行方法。
【請求項３】
前記ユーザーの入力した指令を受けることは、ユーザーが入力した、連続クッリクの回数が２回を超えた連続クッリク指令を受けること
を含む、請求項１に記載のユーザー指令の実行方法。
【請求項４】
前記指令に従ってプリセットされた一連のプログラムを実行することは、プリセットされた一連のプログラムを前記連続クッリクの回数によって実行すること
を含む、請求項３に記載のユーザー指令の実行方法。
【請求項５】
前記指令に従ってプリセットされた一連のプログラムを実行することは、
現在の端末の状態を取得することと、
プリセットされた一連のプログラムを現在の端末の状態と前記指令とに従って実行することと
を含む、請求項１に記載のユーザー指令の実行方法。
【請求項６】
前記プリセットされた一連のプログラムを前記指令に従って実行することは、
プリセットされた少なくとも一つのプログラムを前記指令に従って所定の順序で実行すること
を含む、請求項１に記載のユーザー指令の実行方法。
【請求項７】
前記ユーザーの入力した指令を受けることは、ユーザーが入力した長押し指令を受けることを含み、
前記プリセットされた一連のプログラムを前記指令に従って実行することは、前記長押し指令に従って前記一連のプログラムの実行を終止する、および／または前記一連のプログラムを退出すること
を含む、請求項１に記載のユーザー指令の実行方法。
【請求項８】
ユーザーの入力した指令を受ける受け取りユニットと、
プリセットされた一連のプログラムを前記指令に従って実行する実行ユニットと
を含む、ユーザー指令の実行装置。
【請求項９】
ユーザーからプリセットされた一連のプログラムの情報を受ける、一連のプログラム設定ユニット
をさらに含む、請求項８に記載のユーザー指令の実行装置。
【請求項１０】
前記受け取りユニットは、ユーザーが入力した、連続クリックの回数が２回を超えた連続クッリク指令を受けるためである、
請求項８に記載のユーザー指令の実行装置。
【請求項１１】
前記実行ユニットは、プリセットされた一連のプログラムを前記連続クリックの回数によって実行するためである、
請求項１０に記載のユーザー指令の実行装置。
【請求項１２】
現在の端末の状態を取得する状態取得ユニットと、
プリセットされた一連のプログラムを現在の端末の状態と前記指令とに従って実行する実行ユニットと
を含む、請求項８に記載のユーザー指令の実行装置。
【請求項１３】
前記実行ユニットは、プリセットされた少なくとも一つのプログラムを前記指令に従って所定の順序で実行するためである、
請求項８に記載のユーザー指令の実行装置。
【請求項１４】
前記受け取りユニットは、ユーザーが入力した長押し指令を受けるためであり、
前記実行ユニットは、前記長押し指令に従って前記一連のプログラムの実行を終止する、および／または前記一連のプログラムを退出するためである、
請求項８に記載のユーザー指令の実行装置。
【請求項１５】
ユーザーの入力した指令を受け、プリセットされた一連のプログラムを前記指令に従って実行するプロセッサと、
プロセッサが実行可能な指令を記憶するメモリと
を含む、ユーザー指令の実行装置。
【請求項１６】
プロセッサにより実行されることにより、請求項１から請求項７のいずれか1項に記載のユーザー指令の実行方法を実現することを特徴とするプログラム。
【請求項１７】
請求項１６に記載のプログラムが記録された記録媒体。
【国際調査報告】
2016527577.tif 000020
2016527577.tif 000021
2016527577.tif 000022
2016527577.tif 000023